【手続補正書】
【提出日】平成29年8月15日(2017.8.15)
【手続補正１】
【補正対象書類名】特許請求の範囲
【補正対象項目名】全文
【補正方法】変更
【補正の内容】
【特許請求の範囲】
【請求項１】
入力信号のフィルタバンクマルチキャリア変調の方法であって、
シンボルの複数のストリームを受信するステップであって、各ストリームは異なるキャリア周波数上の送信のためである、ステップと、
シンボルの各ストリームをそれぞれのキャリア周波数上に変調して、各変調されたストリームにおいて、前記シンボルのいくつかがナイキストレートよりも速いレートで時間的に間隔を空けられ、および、前記シンボルのいくつかが前記ナイキストレート以下で時間的に間隔を空けられる、ステップと
を含むことを特徴とする方法。
【請求項２】
各変調されたストリームは、少なくとも１つのデータパケットを含み、各データパケットは、複数のシンボルを含んでおり、かつ、送信のための継続期間を割り当てられており、各パケット内の前記シンボルは、各パケット内で前記シンボルのいくつかが前記ナイキストレートよりも速いレートで時間的に間隔を空けられおよび前記シンボルのいくつかが前記ナイキストレート以下で時間的に間隔を空けられて、各パケットを送信するために要求される全体の時間が前記割り当てられた継続期間よりも長くないように変調されることを特徴とする請求項１に記載の方法。
【請求項３】
前記パケットは、通信システム内のサブフレームを含むことを特徴とする請求項２に記載の方法。
【請求項４】
各ストリームをアップサンプリングするステップと、
各ストリームをフィルタリングするステップと、
前記ストリームを加算するステップと
をさらに含むことを特徴とする請求項１に記載の方法。
【請求項５】
前記変調されたデータストリームの受信機へ、前記変調されたデータストリーム内の前記シンボルの前記間隔の表示を送信するステップをさらに含むことを特徴とする請求項２に記載の方法。
【請求項６】
ネットワークから、シンボル間で使用されることになる時間および／または周波数間隔の表示を受信するステップをさらに含むことを特徴とする請求項２に記載の方法。
【請求項７】
各送信される変調されたデータストリームは、
【数１】
2016531522.tif 000001
であり、
y(t)は、前記送信される変調されたデータストリームであり、
tは、時間であり、
g(t)は、フィルタ関数であり、 
T0は、ナイキストレートでのシンボル区間であり、
【数２】
2016531522.tif 000002
は、ｋ番目のサブキャリアおよびｎ番目のシンボル上で送信されることになる入力データシーケンスであり、
Ｍは、サブキャリアの総数であり、
【数３】
2016531522.tif 000003
は、ナイキスト間隔でのキャリア間の間隔であり、
【数４】
2016531522.tif 000004
は、ナイキストレートの比として表される前記ナイキストレートに関するｋ番目のサブキャリア上のｎ番目のシンボルと（ｎ−１）番目のシンボルとの間の時間的な圧縮であり、
【数５】
2016531522.tif 000005
は、ナイキスト周波数分離レートの比として表される前記ナイキスト周波数分離に関するｎ番目のシンボルのｋ番目のキャリアと（ｋ−１）番目のキャリアとの間の周波数圧縮であることを特徴とする請求項１に記載の方法。
【請求項８】
前記キャリア周波数の隣接ペア間の周波数間隔は、前記キャリア周波数のいくつかの隣接ペアがナイキスト周波数間隔条件を満たさないように離れて間隔を空けられ、および、前記キャリア周波数の他の隣接ペアが前記ナイキスト周波数間隔条件を満たすまたは超えるように離れて間隔を空けられることを特徴とする請求項２に記載の方法。
【請求項９】
受信された信号のフィルタバンクマルチキャリア処理の方法であって、
異なるキャリア周波数上の、シンボルの複数のストリームを含む無線信号を受信するステップであって、前記複数のストリームの各々は、ナイキストレートよりも速いレートで時間的におよび／または周波数の間隔を空けられるいくつかのシンボル、および、前記ナイキストレート以下のレートで時間的におよび／または周波数の間隔を空けられるいくつかのシンボルを含む、ステップと、
前記複数のデータストリームの周波数間隔に従って、前記複数のデータストリームの中へ前記無線信号を周波数逆多重化するステップと、
各データストリームをフィルタリングするステップと、
各データストリーム内の前記シンボルの時間的な間隔に従って、各データストリーム内の前記シンボルを検出するステップと
を含むことを特徴とする方法。
【請求項１０】
送信機から受信機への送信のためにデータを変調する方法であって、
シンボルレートおよび帯域幅を有する入力信号を複数のストリームの中へ分割するステップであって、各ストリームは、前記入力信号よりも低いシンボルレートおよび狭い帯域幅のうちの１つまたは両方を有する、ステップと、
前記複数のストリームの各々をフィルタリングするステップと、
前記フィルタリングされたストリームを加算して、結合されたストリームを形成するステップと、
前記結合されたストリームをキャリア周波数上に変調するステップであって、前記変調されたストリームにおいて、前記シンボルのいくつかがナイキストレートよりも大きいレートで時間的におよび／または周波数の間隔を空けられ、および、前記シンボルのいくつかが前記ナイキストレート以下で時間的におよび／または周波数の間隔を空けられる、ステップと
を含むことを特徴とする方法。
【請求項１１】
フィルタバンクマルチキャリア変調装置であって、
シンボルの複数のストリームを受信し、各ストリームは異なるキャリア周波数上の送信のためであり、
シンボルの各ストリームをそれぞれのキャリア周波数上に変調して、各変調されたストリームにおいて、前記シンボルのいくつかがナイキストレートよりも速いレートで時間的に間隔を空けられ、および、前記シンボルのいくつかが前記ナイキストレート以下で時間的に間隔を空けられる、
ように構成されたプロセッサを備えたことを特徴とするフィルタバンクマルチキャリア変調装置。
【請求項１２】
各変調されたストリームは、少なくとも１つのデータパケットを含み、各データパケットは、複数のシンボルを含んでおり、かつ、送信のための継続期間を割り当てられており、前記プロセッサは、各パケット内で前記シンボルのいくつかが前記ナイキストレートよりも速いレートで時間的に間隔を空けられおよび前記シンボルのいくつかが前記ナイキストレート以下で時間的に間隔を空けられて、各パケットを送信するために要求される全体の時間が前記割り当てられた継続期間よりも長くないように、各パケット内の前記シンボルを変調するようにさらに構成されることを特徴とする請求項１１に記載のフィルタバンクマルチキャリア変調装置。
【請求項１３】
前記パケットは、通信システム内のサブフレームを含むことを特徴とする請求項１２に記載のフィルタバンクマルチキャリア変調装置。
【請求項１４】
前記プロセッサは、各ストリームをアップサンプリングし、各ストリームをフィルタリングし、および、前記ストリームを結合するようにさらに構成されることを特徴とする請求項１１に記載のフィルタバンクマルチキャリア変調装置。
【請求項１５】
各送信される変調されたデータストリームは、
【数６】
2016531522.tif 000006
であり、
y(t)は、前記送信される変調されたデータストリームであり、
tは、時間であり、
g(t)は、フィルタ関数であり、 
T0は、ナイキストレートでのシンボル区間であり、
【数７】
2016531522.tif 000007
は、ｋ番目のサブキャリアおよびｎ番目のシンボル上で送信されることになる入力データシーケンスであり、
Ｍは、サブキャリアの総数であり、
【数８】
2016531522.tif 000008
は、ナイキスト間隔でのキャリア間の間隔であり、
【数９】
2016531522.tif 000009
は、ナイキストレートの比として表される前記ナイキストレートに関するｋ番目のサブキャリア上のｎ番目のシンボルと（ｎ−１）番目のシンボルとの間の時間的な圧縮であり、
【数１０】
2016531522.tif 000010
は、ナイキスト周波数分離レートの比として表される前記ナイキスト周波数分離に関するｎ番目のシンボルのｋ番目のキャリアと（ｋ−１）番目のキャリアとの間の周波数圧縮であることを特徴とする請求項１１に記載のフィルタバンクマルチキャリア変調装置。
【請求項１６】
前記プロセッサは、前記キャリア周波数の隣接ペア間の周波数間隔を確立して、前記キャリア周波数のいくつかの隣接ペアがナイキスト周波数間隔条件を満たさないように離れて間隔を空けられ、および、前記キャリア周波数の他の隣接ペアが前記ナイキスト周波数間隔条件を満たすように離れて間隔を空けられるようにさらに構成されることを特徴とする請求項１１に記載のフィルタバンクマルチキャリア変調装置。